(57)【要約】  【課題】  使用者の負担を軽減するとともに設置場所の確保を容易にして利便性が高く使用性を向上できる冷蔵庫を提供する。  【解決手段】  冷却器１７による冷却とヒータ１５による加熱とによって貯蔵物を冷却保存する低温側と加熱食品を保温する高温側とに室内温度を切り替えできる温度切替室３を備えた冷蔵庫１において、温度切替室３の前面を開閉する扉９と、貯蔵物を収納するスライド自在の収納ケース１１とを有し、扉９の背面側に突出する突設部９ａを設けるとともに、扉９を閉じる際に突設部９ａに当接して収納ケース１１を温度切替室３内に押入する当接部を収納ケース１１の底面後部が下がる段差９ａにより形成した。【選択図】      図４
2007051807.tif 000002
【特許請求の範囲】
【請求項１】
冷却器による冷却とヒータによる加熱とによって貯蔵物を冷却保存する低温側と加熱食品を保温する高温側とに室内温度を切り替えできる温度切替室を備えた冷蔵庫において、前記温度切替室の前面を開閉する扉と、貯蔵物を収納するスライド自在の収納ケースとを有し、前記扉の背面側に突出する突設部を設けるとともに、前記扉を閉じる際に前記突設部に当接して前記収納ケースを前記温度切替室内に押入する当接部を前記収納ケースの底面に設けたことを特徴とする冷蔵庫。
【請求項２】
前記当接部は前記収納ケースの底面後部が下がる段差から成ることを特徴とする請求項１に記載の冷蔵庫。
【請求項３】
前記当接部は前記収納ケースの底面に突出した突起部から成ることを特徴とする請求項１に記載の冷蔵庫。
【請求項４】
前記突設部を前記収納ケースの底面に対向して設けるとともに、前記突設部の前記収納ケースに面した先端を傾斜面にしたことを特徴とする請求項２または請求項３に記載の冷蔵庫。
【請求項５】
前記収納ケースが金属から成るとともに、前記突設部と前記当接部とが当接して前記扉を閉止する際に前記扉の背面と前記収納ケースとの間に隙間を有することを特徴とする請求項１〜請求項４のいずれかに記載の冷蔵庫。
【発明の詳細な説明】
【技術分野】
【０００１】
本発明は、ユーザにより所望の室内温度に切り替えることができる温度切替室を備えた冷蔵庫に関する。
【背景技術】
【０００２】
生活環境の変化が著しい昨今においては、家族それぞれが食事を摂る時間が異なる家庭が増えている。このため、加熱食品を保温するために保温箱や保温用収納容器が用いられる。これにより、調理を何度も行う手間を省くことができる。
【０００３】
一方、冷凍室及び冷蔵室に加えて温度切替室を備えた冷蔵庫が特許文献１に開示されている。この冷蔵庫は、温度切替室に送出される冷気の通路を開閉するダンパ装置と、温度切替室を昇温するヒータとを備えている。これにより、温度切換室の室内温度を使用者の用途に応じて冷凍、冷蔵、パーシャル、チルド等の所望の低温の温度帯に切り替えることができる。
【特許文献１】特開平１０−２８８４４０号公報
【発明の開示】
【発明が解決しようとする課題】
【０００４】
しかしながら、加熱食品を保温するために保温箱や収納容器を用いると設置場所の確保が困難な問題や使用者の経済的負担が大きくなる問題がある。また、食品を移し替える煩雑な作業を必要とし、利便性が悪い問題があった。
【０００５】
本発明は、使用者の負担を軽減するとともに場所の確保を容易にして利便性の高い冷蔵庫を提供することを目的とする。
【課題を解決するための手段】
【０００６】
上記目的を達成するために本発明の冷蔵庫は、冷却器による冷却とヒータによる加熱とによって貯蔵物を冷却保存する低温側と加熱食品を保温する高温側とに室内温度を切り替えできる温度切替室を備えた冷蔵庫において、前記温度切替室の前面を開閉する扉と、貯蔵物を収納するスライド自在の収納ケースとを有し、前記扉の背面側に突出する突設部を設けるとともに、前記扉を閉じる際に前記突設部に当接して前記収納ケースを前記温度切替室内に押入する当接部を前記収納ケースの底面に設けたことを特徴としている。
【０００７】
この構成によると、温度切替室は低温側に切り替えられると冷却器から冷気が導入され、冷凍、パーシャル、チルド、冷蔵等の低温室となる。これにより、貯蔵物を冷蔵保存または冷凍保存できる。温度切替室は高温側に切り替えられるとヒータが駆動され、高温の高温室となる。これにより、加熱調理済み食品の一時的な保温や冬場の温調理等ができる。温度切替室には貯蔵物を収納するスライド自在の収納ケースが設けられ、扉を開いて収納ケースを手前に引くことにより貯蔵物の出し入れが行われる。扉を閉じると、扉の背面の突設部が収納ケースの底面に設けた当接部に当接し、収納ケースが温度切替室内に押入される。
【０００８】
また本発明は上記構成の冷蔵庫において、前記当接部は前記収納ケースの底面後部が下がる段差から成ることを特徴としている。この構成によると、扉の背面の突設部が収納ケースの底面に設けた段差に当接し、収納ケースが温度切替室内に押入される。
【０００９】
また本発明は上記構成の冷蔵庫において、前記当接部は前記収納ケースの底面に突出した突起部から成ることを特徴としている。この構成によると、扉の背面の突設部が収納ケースの底面に設けた突起部に当接し、収納ケースが温度切替室内に押入される。
【００１０】
また本発明は上記構成の冷蔵庫において、前記突設部を前記収納ケースの底面に対向して設けるとともに、前記収納ケースに面した先端を傾斜面にしたことを特徴としている。この構成によると、引き出された際に前傾した収納ケースの前端に傾斜面が摺動して収納ケースの前部が持ち上げられ、突設部の先端が当接部に当接する。
【００１１】
また本発明は上記構成の冷蔵庫において、前記収納ケースが金属から成るとともに、前記突設部と前記当接部とが当接して前記扉を閉止した際に前記扉の背面と前記収納ケースとの間に隙間を有することを特徴としている。
【００１２】
また本発明は、貯蔵室の前面を開閉する扉と、貯蔵物を収納するスライド自在の収納ケースとを有し、前記扉の背面側に突出する突設部を設けるとともに、前記扉を閉じる際に前記突設部に当接して前記収納ケースを前記貯蔵室内に押入する当接部を前記収納ケースの底面に設けたことを特徴としている。
【発明の効果】
【００１３】
本発明によると、貯蔵物を冷蔵保存または冷凍保存する低温側と加熱食品を保温する高温側とに室内温度を切り替えできる温度切替室を備えたので、加熱食品を保温するための使用者の経済的負担を軽減するとともに場所の確保を容易にして利便性の高い冷蔵庫を提供することができる。
【００１４】
また、扉の背面側に突出する突設部を設け、扉を閉じる際に突設部に当接して収納ケースを温度切替室内に押入する当接部を収納ケースの底面に設けたので、引き出した収納ケースを収納する動作を省くことができ、冷蔵庫の使用性が向上する。また、突設部が扉の下部に配されるため扉を開いた際に邪魔にならず、突設部の上方に窓や収納ポケット等を設けて冷蔵庫の利便性を向上することができる。
【００１５】
また本発明によると、当接部は収納ケースの底面後部が下がる段差から成るので、収納ケースを収納する動作を省くことができる冷蔵庫を簡単に実現することができる。また、収納ケースの大きな容積を確保することができる。
【００１６】
また本発明によると、当接部は収納ケースの底面に突出した突起部から成るので、収納ケースを収納する動作を省くことができる冷蔵庫を簡単に実現することができる。また、収納ケースの底面が平坦になり、貯蔵物を載置する際の転倒を防止することができる。
【００１７】
また本発明によると、突設部を収納ケースの底面に対向して設けるとともに、収納ケースに面した先端を傾斜面にしたので、引き出して前傾した収納ケースを容易に収納することができる。
【００１８】
また本発明によると、収納ケースが金属から成り、扉を閉止する際に扉の背面と収納ケースとの間に隙間を有するので、扉の背面と収納ケースとの衝突を回避して扉の損傷を防止することができる。
【発明を実施するための最良の形態】
【００１９】
以下に本発明の実施形態を図面を参照して説明する。図１、図２は第１実施形態の冷蔵庫を示す正面図及び右側面図である。冷蔵庫１は、上段に冷蔵室２が配され、中段に温度切替室３及び製氷室４が配される。冷蔵庫１の下段には野菜室５及び冷凍室６が配されている。
【００２０】
冷蔵室２は観音開きの扉を有し、貯蔵物を冷蔵保存する。温度切替室３は中段左側に設けられ、使用者により室温を切り替えられるようになっている。製氷室４は中段右側に設けられ、製氷を行う。野菜室５は下段左側に設けられ、野菜の貯蔵に適した温度（約８℃）に維持される。冷凍室６は下段右側に設けられ、製氷室４に連通して貯蔵物を冷凍保存する。
【００２１】
図３は冷蔵庫１の右側面断面図である。冷凍室６及び製氷室４には貯蔵物を収納する収納ケース１１が設けられる。野菜室５及び温度切替室３にも同様の収納ケース１１が設けられる。冷蔵室２には貯蔵物を載置する複数の収納棚４１が設けられる。冷蔵室２の扉には収納ポケット４２が設けられる。これらにより、冷蔵庫１の使い勝手が向上されている。また、冷蔵室２内の下部にはチルド温度帯（約０℃）に維持されたチルド室２３が設けられている。
【００２２】
冷凍室６の背後には冷気通路３１が設けられ、冷気通路３１内には圧縮機３５に接続された冷却器１７が配される。冷蔵室２の背後には冷気通路３１と連通する冷気通路３２が設けられる。凝縮器、膨張器（いずれも不図示）が接続された圧縮機３５の駆動によりイソブタン等の冷媒が循環して冷凍サイクルが運転される。これにより、冷凍サイクルの低温側となる冷却器１７と冷気通路３１を流通する空気とが熱交換して冷気が生成される。
【００２３】
また、冷気通路３１、３２内には冷凍室送風機１８及び冷蔵室送風機２８がそれぞれ配される。詳細を後述するように、冷却器１７で生成された冷気は冷凍室送風機１８の駆動により冷気通路３１を介して冷凍室６、製氷室４、チルド室２３及び温度切替室３に供給される。また、該冷気は、冷蔵室送風機２８の駆動により冷気通路３２を介して冷蔵室２及び野菜室５に供給される。
【００２４】
図４は温度切替室３を示す右側面断面図である。温度切替室３の上下面は断熱壁７、８により冷蔵室２及び野菜室５と断熱隔離されている。また、温度切替室３の一方の側面は断熱壁３４（図６参照）により製氷室４及び冷凍室６と断熱隔離され、他方の側面は冷蔵庫１の外壁を形成する断熱壁３７（図６参照）から成っている。温度切替室３の前面は回動式の扉９により開閉可能になっている。温度切替室３内には貯蔵物を載置する引出し式の収納ケース１１が配されている。収納ケース１１の上方には着脱可能な載置棚３６が配されている。
【００２５】
収納ケース１１は上面を開放したステンレス等の金属から成り、温度切替室３の室内温度を貯蔵物に伝えやすくなっている。また、載置棚３６を脱着することにより大きな貯蔵物も収納できるようになっている。収納ケース１１の側面には前後に延びる溝部１１ａが形成されている。温度切替室３の側面の断熱壁３４、３７には溝部１１ａに嵌合して前後に延びるレール３４ａ、３７ａ（３７ａは不図示）が設けられている。収納ケース１１はレール３４ａ、３７ａの案内により前後にスライド移動可能になっている。
【００２６】
収納ケース１１の底面は後部が下がった段差１１ｂを有している。扉９の背面下部には、温度切替室３の奥行方向に延びて突出し、収納ケース１１の底面に対向する突設部９ａが設けられている。収納ケース１１は扉９を開いた後に引き出して貯蔵物の出し入れが行われる。後述するように、温度切替室３内は高温に保持される場合があるため、収納ケース１１を扉９と連動させると高温の食品等がこぼれて使用者が火傷する危険がある。このため、扉９を開く際には収納ケース１１は連動しない。
【００２７】
扉９を閉じると、図６の上面図に示すように、突設部９ａが段差１１ｂに当接して収納ケース１１が温度切替室３内に押入される。段差１１ｂによって突設部９ａに当接する当接部が形成されている。従って、収納ケース１１を収納する動作を必要としないため、冷蔵庫１の使用性が向上する。また、段差１１ｂが収納ケース１１の底面に設けられるため突設部９ａが扉９の下部に配される。このため、突設部９ａは扉９を開いた際に邪魔にならず、突設部９ａの上方に窓や収納ポケット等を設けて冷蔵庫１の利便性を向上することができる。
【００２８】
また、突設部９ａと段差１１ｂとが当接して扉９を閉じる際に扉９の背面９ｂと収納ケース１１との間には隙間ｄ（図４参照）が形成されるように突設部９ａの長さ及び段差１１ｂの配置が決められている。扉９を勢いよく閉じた際に扉９の背面９ｂと収納ケース１１とが衝突すると扉９が損傷する。特に収納ケース１１が金属から成るため、扉９が衝突によって容易に損傷する。このため、隙間ｄにより扉９と収納ケース１１の衝突を回避して扉９の損傷を防止することができる。
【００２９】
図４において、温度切替室３の背面は背面板３３により覆われている。背面板３３の上部には温度切替室３に空気が流入する流入口３３ａが設けられ、下部には温度切替室３から空気が流出する流出口３３ｂが設けられる。また、流入口３３ａ及び流出口３３ｂ近傍には温度切替室３内の温度を検知する温度センサ２４、１６が設けられる。
【００３０】
背面板３３の後方には、外壁を形成する断熱壁１０との間に導入通風路１２が設けられている。導入通風路１２には温度切替室吐出ダンパ１３（図５参照）が設けられ、冷気通路３１に連通して冷却器１７（図３参照）で発生した冷気を温度切替室３に導く。また、温度切替室吐出ダンパ１３の開閉により冷却器１７と温度切替室３の流入側との間の冷気経路が開閉され、開閉量によって導入通風路１２から温度切替室３に流入する風量が調整される。
【００３１】
導入通風路１２内には、温度切替室吐出ダンパ１３と流入口３３ａとの間に温度切替室送風機１４が設けられている。温度切替室送風機１４の駆動によって冷気通路３１の冷気が容易に温度切替室３に導かれる。
【００３２】
流出口３３ｂの後方には温度切替室戻りダンパ２０が設けられる。温度切替室戻りダンパ２０は開口部２０ａ、２０ｂを有し、回動により一方を開いて他方を閉じるバッフル２０ｃを有している。開口部２０ｂを開くと温度切替室３から流出する空気は戻り通風路１９（図５参照）を介して冷却器１７に導かれる。
【００３３】
開口部２０ａを開くと温度切替室３から流出する空気は温度切替室送風機１４の吸気側に導かれるとともに、温度切替室３の流出側と冷却器１７との冷気経路が閉じられる。従って、温度切替室送風機１４を駆動し、開口部２０ｂを閉じて温度切替室戻りダンパ２０を閉じることにより、矢印Ｆに示すように温度切替室３の空気を循環させることができる。尚、温度切替室送風機１４を温度切替室３内に設けてもよい。
【００３４】
温度切替室３の流入口３３ａの背後にはヒータ１５が設けられる。ヒータ１５は熱輻射式のガラス管ヒータから成り、背面板３３を介して放出される輻射熱により温度切替室３を昇温する。温度切替室送風機１４はヒータ１５の表面に向けて送風するように配置されている。これにより、ヒータ１５の表面温度を下げて安全性を向上させることができる。また、流出口３３ｂには、所定の温度まで高温になるとヒータ１５の通電を遮断する温度ヒューズ３０が設けられる。
【００３５】
図５は冷蔵庫１の中段付近の正面断面図を示している。冷凍室６の背後の冷気通路３１は冷凍室送風機１８の前面上部を開口し、冷凍室送風機１８によって製氷室４に空気が送出される。製氷室４に連通する冷凍室６の下部には冷凍室ダンパ２２が設けられる。冷凍室６の後方下部には、冷凍室ダンパ２２を介して冷却器１７に空気を導いて冷気通路３１に戻る戻り通風路２１（図３参照）が設けられている。冷凍室ダンパ２２の開閉により冷凍室６から流出する空気の風量が調整される。
【００３６】
冷気通路３１の上部は冷蔵室ダンパ２７を介して冷気通路３２に連通する。また、冷気通路３１は分岐され、チルド室ダンパ２５を介してチルド室２３と連通するとともに、前述のように導入通風路１２（図４参照）に連通する。
【００３７】
冷蔵室２の背面下部には冷蔵室流出口（不図示）が開口し、野菜室５には野菜室流入口（不図示）が設けられる。冷蔵室流出口と野菜室流入口とは温度切替室３の背面を通る通路（不図示）により連結され、冷蔵室２と野菜室５が連通している。
【００３８】
温度切替室戻りダンパ２０は温度切替室３の左方下部に設けられる。温度切替室３及び野菜室５の背後には、温度切替室戻りダンパ２０から下方に延びて戻り通風路２１（図３参照）に連通する戻り通風路１９が設けられている。前述したように、温度切替室３内の空気は温度切替室戻りダンパ２０の開口部２０ｂ（図４参照）を開くことにより戻り通風路１９、２１を介して冷却器１７に導かれる。尚、野菜室５の背面には戻り通風路１９に連通する野菜室流出口（不図示）が設けられる。
【００３９】
図７は冷蔵庫１の冷気の流れを示す冷気回路図である。冷凍室６、冷蔵室２及び温度切替室３はそれぞれ並列に配される。また、製氷室４は冷凍室６と直列に配され、野菜室５は冷蔵室２と直列に配される。冷却器１７で生成された冷気は、冷凍室送風機１８の駆動により矢印Ａ（図５参照）に示すように冷気通路３１を上昇して製氷室４に送出される。製氷室４に送出された冷気は製氷室４及び冷凍室６を流通し、冷凍室ダンパ２２から流出する。そして、戻り通風路２１を介して冷却器１７に戻る。これにより、製氷室４及び冷凍室６内が冷却される。
【００４０】
冷蔵室送風機２８の駆動により、冷凍室送風機１８の排気側となる冷気通路３１の上部で分岐した冷気は冷蔵室ダンパ２７を介して矢印Ｂ（図５参照）に示すように冷気通路３２を流通し、冷蔵室２に送出される。また、矢印Ｃ（図５参照）に示すようにチルド室２３に送出される。これらの冷気は冷蔵室２及びチルド室２３を流通した後、野菜室５に流入する。野菜室５に流入した冷気は野菜室５内を流通して戻り通風路１９、２１を介して冷却器１７に戻る。これにより、冷蔵室２及び野菜室５内が冷却され、設定温度になると冷蔵室ダンパ２７及びチルド室ダンパ２３が閉じられる。
【００４１】
また、温度切替室送風機１４の駆動により、冷凍室送風機１８の排気側となる冷気通路３１の上部で分岐した冷気は矢印Ｄ（図５参照）に示すように導入通風路１２を流通し、温度切替室吐出ダンパ１３を介して温度切替室３に流入する。温度切替室３に流入した冷気は温度切替室３内を流通し、温度切替室戻りダンパ２０から流出する。そして、矢印Ｅ（図５参照）に示すように、戻り通風路１９、２１を介して冷却器１７に戻る。これにより、温度切替室３内が冷却される。
【００４２】
前述のように、温度切替室３は使用者の操作により室内温度を切り替えることができるようになっている。温度切替室３の動作モードは温度帯に応じてワイン（８℃）、冷蔵（３℃）、チルド（０℃）、ソフト冷凍（−８℃）、冷凍（−１５℃）の各冷却モードが設けられる。
【００４３】
これにより、使用者は所望の温度で貯蔵物を冷凍または冷蔵して冷却保存できる。室内温度の切り替えは温度切替室吐出ダンパ１３を開く量を可変して行うことができる。尚、例えば冷凍の室内温度から冷蔵の室内温度に切り替える際にヒータ１５に通電して昇温してもよい。これにより、迅速に所望の室内温度に切り替えることができる。
【００４４】
また、ヒータ１５に通電することにより、温度切替室３の室内温度を貯蔵物を冷却保存する低温側から調理済み加熱食品の一時的な保温や温調理等を行う高温側に切り替えることができる。高温側の室内温度は、主な食中毒菌の発育温度が３０℃〜４５℃であるため、ヒータ容量の公差や温度切替室３内の温度分布等を考慮して５０℃以上にするとよい。これにより、雑菌の繁殖を防止できる。
【００４５】
また、冷蔵庫に用いられる一般的な樹脂製部品の耐熱温度が８０℃であるため、高温側の室内温度を８０℃以下にすると安価に実現することができる。加えて、食中毒菌を滅菌するためには、例えば腸管出血性大腸菌（病原性大腸菌Ｏ１５７）の場合では７５℃で１分間の加熱が必要である。従って、高温側の室内温度を７５℃〜８０℃にするとより望ましい。
【００４６】
以下は５５℃での食中毒菌の減菌に関する試験結果である。試験サンプルは初期状態で大腸菌２．４×１０3ＣＦＵ／ｍＬ、黄色ブドウ球菌２．０×１０3ＣＦＵ／ｍＬ、サルモネラ２．１×１０3ＣＦＵ／ｍＬ、腸炎ビブリオ１．５×１０3ＣＦＵ／ｍＬ、セレウス４．０×１０3ＣＦＵ／ｍＬを含んでいる。この試験サンプルを４０分間で３℃から５５℃に加温し、５５℃で３．５時間保温後、８０分間で５５℃から３℃に戻して再度各菌の量を調べた。その結果、いずれの菌も１０ＣＦＵ／ｍＬ以下（検出せず）のレベルまで減少していた。従って、温度切替室３の高温側の設定温度を５５℃としても充分減菌効果がある。
【００４７】
温度切替室３を低温側から高温側に切り替えると、温度切替室吐出ダンパ１３が閉じられ、温度切替室戻りダンパ２０のバッフル２０ｃにより開口部２０ｂが閉じられる。次に、ヒータ１５がＯＮされ、温度切替室送風機１４の回転数が低温側の時よりも増加される。
【００４８】
その結果、温度切替室送風機１４から送出される空気は、矢印Ｆに示すように流出口３３ｂを介して流出し、温度切替室戻りダンパ２０の開口部２０ａを通過する。これにより、図７の破線Ｓに示すように温度切替室３内の空気は温度切替室戻りダンパ２０を介して温度切替室送風機１４に導かれて循環する。その結果、温度切替室３内が昇温され、ヒータ１５の容量を可変して高温側の所定の温度に維持される。
【００４９】
温度切替室３を高温側から低温側に切り替えると、温度切替室吐出ダンパ１３が開かれ、温度切替室戻りダンパ２０の開口部２０ｂが開かれる。そして、ヒータ１５がＯＦＦされ、温度切替室送風機１４の回転数が高温側の時よりも低下される。これにより、温度切替室３には冷却器１７の冷気が流入し、低温側の所定温度に維持される。
【００５０】
本実施形態によると、貯蔵物を冷却保存する低温側と加熱食品を保温する高温側とに室内温度を切り替えできる温度切替室３を備えたので、別途保温庫等を必要とせず使用者の経済的な負担を軽減するとともに保温庫等の設置場所の確保を不要にして加熱食品を保温できる利便性の高い冷蔵庫１を提供することができる。
【００５１】
また、扉９の背面側に突出する突設部９ａを設け、扉９を閉じる際に突設部９ａに当接して収納ケース１１を温度切替室３内に押入する段差１１ｂを収納ケース１１の底面に設けたので、引き出した収納ケース１１を収納する動作を省くことができ、冷蔵庫１の使用性が向上する。
【００５２】
次に、図８は第２実施形態の冷蔵庫の温度切替室３を示す側面断面図である。説明の便宜上、前述の図１〜図６に示す第１実施形態と同一の部分には同一の符号を付している。本実施形態は、収納ケース１１の底面にリブから成る突起部１１ｃが設けられている。その他の部分は第１実施形態と同様である。
【００５３】
突起部１１ｃは収納ケース１１の底面から突出して形成され、扉９を閉じる際に突設部９ａに当接する。これにより、第１実施形態と同様に、引き出した収納ケース１１を収納する動作を省くことができ、冷蔵庫１の使用性が向上する。また、突起部１１ｃがリブから成るため、収納ケース１１の底面の内面側を平坦面にすることができる。これにより、貯蔵物を載置する際の転倒を防止することができる。尚、第１実施形態の収納ケース１１は底面に段差１１ｂが形成されるため、本実施形態よりも大きな容積を確保することができる。
【００５４】
次に、図９は第３実施形態の冷蔵庫の突設部及び突起部を示す側面断面図である。説明の便宜上、前述の図８に示す第２実施形態と同一の部分には同一の符号を付している。本実施形態は、扉９の突設部９ａは収納ケース１１の底面に対向して設けられ、収納ケース１１の底面に面した先端が傾斜面９ｂになっている。その他の部分は第２実施形態と同様である。
【００５５】
本実施形態によると、レール３４ａ、３７ａの案内により引き出された収納ケース１１が前傾しても、扉９を閉じる際に収納ケース１１の前端に傾斜面９ｂが摺動して収納ケース１１の前部が持ち上げられる。これにより、収納ケース１１を容易に収納することができる。第１実施形態の冷蔵庫１の扉９の突設部９ａに同様の傾斜面９ｂを設けてもよい。
【００５６】
尚、第１〜第３実施形態において、野菜室５の流出口にダンパを設けてもよい。これにより、温度切替室３を高温側から低温側に切り替えた際に、該ダンパを閉じて温度切替室３からの熱風が野菜室５に逆流することを防止できる。また、温度切替室３を高温側から低温側へ切り替える際に冷凍室送風機１８が停止されている場合には、冷凍室ダンパ２２が閉じられるようになっている。これにより、温度切替室送風機１４の駆動によって冷凍室ダンパ２２から冷凍室６内へ熱風が逆流することを防止できる。
【００５７】
また、冷却器１７によって冷凍室６及び冷蔵室２を冷却しているが、冷蔵室２及び野菜室５専用の冷却器を別途設けてもよい。この時、冷却器１７によって冷凍室６及び温度切替室３を冷却することができる。
【産業上の利用可能性】
【００５８】
本発明によると、温度切替室を有した冷蔵庫に利用することができる。
【図面の簡単な説明】
【００５９】
【図１】本発明の第１実施形態の冷蔵庫を示す正面図
【図２】本発明の第１実施形態の冷蔵庫を示す右側面図
【図３】本発明の第１実施形態の冷蔵庫を示す右側面断面図
【図４】本発明の第１実施形態の冷蔵庫の温度切替室を示す右側面断面図
【図５】本発明の第１実施形態の冷蔵庫の中段部を示す正面断面図
【図６】本発明の第１実施形態の冷蔵庫の温度切替室を示す上面図
【図７】本発明の第１実施形態の冷蔵庫の冷気の流れを示す冷気回路図
【図８】本発明の第２実施形態の冷蔵庫の温度切替室を示す右側面断面図
【図９】本発明の第３実施形態の冷蔵庫の突設部及び突起部を示す側面図
【符号の説明】
【００６０】
１    冷蔵庫
２    冷蔵室
３    温度切替室
４    製氷室
５    野菜室
６    冷凍室
９    扉
９ａ  突設部
９ｂ  傾斜面
１１    収納ケース
１１ｂ  段差（当接部）
１１ｃ  突起部（当接部）
１２    導入通風路
１３    温度切替室吐出ダンパ
１４    温度切替室送風機
１５    ヒータ
１７    冷却器
１６、２４  温度センサ
１８    冷凍室送風機
１９、２１  戻り通風路
２０    温度切替室戻りダンパ
２２    冷凍室ダンパ
２５    チルド室ダンパ
２８    冷蔵室送風機
３０    温度ヒューズ
３１、３２  冷気通路
３３    背面板
３４、３７  断熱壁
３４ａ、３７ａ  レール
３５    圧縮機
３６    載置棚
【図１】
2007051807.tif 000003
【図２】
2007051807.tif 000004
【図３】
2007051807.tif 000005
【図４】
2007051807.tif 000006
【図５】
2007051807.tif 000007
【図６】
2007051807.tif 000008
【図７】
2007051807.tif 000009
【図８】
2007051807.tif 000010
【図９】
2007051807.tif 000011